(57)【特許請求の範囲】
【請求項１】
箱体内に精米機を備える精米室と、精米機による精米処理で発生した糠を受ける箱体状の糠収容室を設け、精米室と糠収容室は仕切壁で仕切り、精米室の前側に本体開閉扉を設け、糠収容室の前側に糠収容室開閉扉を設け、
糠収容室内にはサイクロンと、サイクロンの下方にあって糠を移送する糠移送ラセンを内装する糠移送樋と、糠移送樋の底部に複数設ける糠排出口と、該複数の糠排出口それぞれの下方に設ける糠を収容する糠袋とを設け、
糠移送樋を前後方向に長く形成し、糠袋を前後方向に並列して配置する構成とし、
サイクロンは糠収容室の前側に配置し、糠移送ラセンは糠収容室後方に向かって移送する構成とし、
精米室の上方にブレーカや制御盤等の電装品からなる電装部を設け、電装部の前方に電装部開閉扉を設け、
電装部開閉扉は本体開閉扉と糠収容室開閉扉の上方に跨って設け、
電装部は箱体内の天井又は側壁に支持される第一電装部と、電装部開閉扉の裏面に支持される第二電装部を備え、
電装部開閉扉を閉状態にすると、第一電装部と第二電装部が対向し、電装部開閉扉を開状態にすると、第一電装部と第二電装部が箱体前方に向く構成とすることを特徴とする精米設備。
【請求項２】
糠収容室を精米室の左右一側に設け、
精米室の左右他側には玄米を投入する投入ホッパを備える玄米投入室を設け、
玄米投入室の前方に玄米投入開閉扉を設け、玄米投入開閉扉は本体開閉扉に対し縦軸芯に回動自在に取り付け、
本体開閉扉には精白度を選択する精白度選択スイッチを備える操作盤を設け、
玄米投入開閉扉を開けると操作盤の前方を覆うことを特徴とする請求項１記載の精米設備。
【発明の詳細な説明】
【技術分野】
【０００１】
本発明は、利用者が持参した籾や玄米等の穀物を精米処理する精米設備に関する。
【背景技術】
【０００２】
特許文献及び特許文献にはサイクロンで処理された糠を貯留した容器を糠室外に引き出す技術について開示されている。
【先行技術文献】
【特許文献】
【０００３】
【特許文献１】実開昭６１−８４４０号
【特許文献２】登録実用新案公報第３０４２００３号
【発明の概要】
【発明が解決しようとする課題】
【０００４】
特許文献においては単一の糠容器で受ける構成であるため、糠容器の大きさが大きくなり、糠の取り出し作業がし難かった。本発明は糠の取り出し作業をし易くすることを課題とする。
【課題を解決するための手段】
【０００５】
この発明は、かかる技術的課題を解決するために次のような技術的手段を構成した。すなわち、請求項１の発明では、
箱体内に精米機を備える精米室と、精米機による精米処理で発生した糠を受ける箱体状の糠収容室を設け、精米室と糠収容室は仕切壁で仕切り、精米室の前側に本体開閉扉を設け、糠収容室の前側に糠収容室開閉扉を設け、
糠収容室内にはサイクロンと、サイクロンの下方にあって糠を移送する糠移送ラセンを内装する糠移送樋と、糠移送樋の底部に複数設ける糠排出口と、該複数の糠排出口それぞれの下方に設ける糠を収容する糠袋とを設け、
糠移送樋を前後方向に長く形成し、糠袋を前後方向に並列して配置する構成とし、
サイクロンは糠収容室の前側に配置し、糠移送ラセンは糠収容室後方に向かって移送する構成とし、
精米室の上方にブレーカや制御盤等の電装品からなる電装部を設け、電装部の前方に電装部開閉扉を設け、
電装部開閉扉は本体開閉扉と糠収容室開閉扉の上方に跨って設け、
電装部は箱体内の天井又は側壁に支持される第一電装部と、電装部開閉扉の裏面に支持される第二電装部を備え、
電装部開閉扉を閉状態にすると、第一電装部と第二電装部が対向し、電装部開閉扉を開状態にすると、第一電装部と第二電装部が箱体前方に向く構成とすることを特徴とする精米設備とする。
【０００６】
請求項２記載の発明では、糠収容室を精米室の左右一側に設け、
精米室の左右他側には玄米を投入する投入ホッパを備える玄米投入室を設け、
玄米投入室の前方に玄米投入開閉扉を設け、玄米投入開閉扉は本体開閉扉に対し縦軸芯に回動自在に取り付け、
本体開閉扉には精白度を選択する精白度選択スイッチを備える操作盤を設け、
玄米投入開閉扉を開けると操作盤の前方を覆うことを特徴とする請求項１記載の精米設備とする。
【０００７】
【発明の効果】
【０００８】
請求項１記載の発明においては、サイクロンを前側に糠収容室の前側に配置し、糠移送ラセンは糠収容室後方に向かって移送する構成としたことで、前側の糠袋から順次糠を貯留することができ、精米設備の管理者は前側の糠袋の糠から取り出せるため、糠取り出し作業がし易い。
また、管理者が電装部開閉扉を開くと第一電装部と第二電装部のいずれもが箱体の前方に向くため、管理者は電装部の点検・調整をしやすくすることができる。また、特に雨天のときに電装部開閉扉を開かないで精米室の点検を行なうことができ、電装品が濡れるのを防止できる。
【０００９】
請求項２記載の発明においては、玄米投入開閉扉を開くときには箱体の操作盤側、すなわち箱体の正面側に向かって開く。すなわち箱体の左右外側にはみ出ないため、箱体に隣接して別の装置・建屋等が設置している場合に玄米投入開閉扉が当該別の装置に当接することを防止し、狭いスペースで箱体Ｈを設置することができる。
また、玄米投入開閉扉が開放状態となると操作盤の前側を覆う構成となる。即ち、利用者は玄米投入開閉扉を閉めないと操作盤の操作ができないので、玄米を投入後、自然に玄米投入開閉扉を閉めるように仕向けることができる。
【００１０】
【００１１】
【図面の簡単な説明】
【００１２】
【図１】精米設備の外観正面図
【図２】精米設備の開閉扉を開いた状態を示す図
【図３】平面から見た精米設備を示す図
【図４】側面から見た精米設備の内部を示す図
【図５】側面から見た精米設備の内部を示す図
【図６】精米設備の作業工程図
【図７】糠処理設備の斜視図
【図８】側面から見た糠袋の配置を示す図
【図９】正面から見た糠処理設備を示す図
【図１０】糠処理設備の斜視図
【発明を実施するための形態】
【００１３】
本発明の精米設備の構成について説明する。
左右に長い直方体形状の箱体Ｈの内部の左右一側に玄米を投入する投入ホッパ１を設け、投入ホッパ１の下方には石抜機２を設け、石抜機２の側方には昇降機３を設け、昇降機３の投げ口の下方には玄米ホッパ４を設け、玄米ホッパ４の下方には精米機５を設け、精米機５の排出口側には白米ホッパ６を設ける構成である。
【００１４】
投入ホッパ１の上方には、精米機を備える精米室Ｓとの間を仕切る第一仕切壁１０と、箱体Ｈの天井部と投入ホッパ１の上方の空間とを仕切る上部仕切壁１１とで玄米投入室Ｇを形成する。
【００１５】
投入ホッパ１の下部には玄米の有無を検出する玄米センサ１２を設け、投入ホッパ１の下端部は玄米を排出する開口部を石抜機２上に配置する。石抜機２は、後側に下がり傾斜に配置し多数の通風孔を形成する揺動選別板１４と、送風ファン１５とを設け、投入ホッパ１の開口部１３は揺動選別板１４の上方に対向する構成としている。
【００１６】
揺動選別板１４の上流側には石を石貯留箱１８に排出する石排出筒１９と、残米を排出する残米排出筒２０と、石排出筒１９と残米排出筒２０を切り換える切換弁２１を設け、揺動選別板１４の下流側には玄米を昇降機３に排出する玄米排出筒２２を設けている。
【００１７】
昇降機３の上部は玄米ホッパ４と連通し、玄米ホッパ４の下部には精米機５に玄米を供給するロータリバルブ２６を設ける。
精米機５は前側に排出筒２７、後側に供給筒２８を設ける前下がり傾斜の構成とし、排出筒２７の下方に白米ホッパ６を設け、白米ホッパ６の下部に開閉シャッタ２９を設ける構成である。精米機５の下方には糠ファン３０を設け、糠ファン３０とサイクロン３１とを糠搬送筒３２で接続する構成である。
【００１８】
精米機５とサイクロン３１との間には第二仕切壁３３を配置し、サイクロン３１を備える糠収容室Ｎと、精米機５を備える精米室Ｓとを仕切っている。そのため、第一仕切壁１０で玄米投入室Ｇと精米室Ｓとを仕切り、第二仕切壁３３で精米室Ｓと糠収容室Ｎとを仕切り、玄米投入室Ｇと精米室Ｓと糠収容室Ｎとを左右方向に並列して配置する構成である。
【００１９】
第二仕切壁３３には通風孔３５を形成し、通風孔３５にはフィルタ３６を取り付けている。そのため、糠ファン３０で送風作用により精米室Ｓ内が負圧になるのを糠収容室Ｎの空気を精米室Ｓに戻すことで、精米室Ｓが負圧になることを防止する共に、フィルタ３６により糠収容室Ｎの糠が精米室Ｓに入り込むことができる構成としている。
【００２０】
次に、糠収容室Ｎの糠処理設備の詳細について説明する。
糠収容室Ｎは前後方向に長く形成され、その正面を糠収容室開閉扉４０で覆う構成としている。
【００２１】
糠収容室Ｎの前側の上部にサイクロン３１を設ける。サイクロン３１の下方には前後方向に延びる糠移送樋４１の搬送始端部を設ける。糠移送樋４１内には後側に向かって搬送する糠移送ラセン４２を設ける。糠移送ラセン４２は糠移送ラセン駆動モータ３９で回転駆動する構成で糠移送ラセン駆動モータ３９は糠移送樋４１の前端側に取り付けている。糠移送樋４１とサイクロン３１は吊り下げ支持部材３８で吊り下げ支持される構成である。
【００２２】
糠移送樋４１の底部には前後方向に設定間隔で複数個所の糠排出口４３（前側から４３ａ，４３ｂ，４３ｃ）を設ける。糠排出口４３には下方に向かって垂れ下がる糠案内筒４４（前側から４４ａ，４４ｂ，４４ｃ）を取り付けている。糠案内筒４４の下方にはそれぞれ糠袋４５（前側から４５ａ，４５ｂ，４５ｃ）を配置する。糠案内筒４４は軟質材で形成され、その下端部は糠袋４５の内部に挿入する。糠袋４５は台車４６上に載置され、台車４６に取り付けているガイド４７に取り付ける構成である。ガイド４７は複数の糠袋の左右両側を挟む構成とし、ガイド４７の上部にはフック４８を複数個所設け、該フック４８に糠袋４５の前後左右の上端部を引っ掛けることで糠袋４５の上部を開口している。
【００２３】
４９は糠オーバフロー受板で、糠移送樋４１とサイクロン３１との間を上下に仕切ると共に前側に引き出し可能に構成とし、糠移送樋４１から糠がオーバーフロしたときに、オーバフロした糠が糠オーバフロー受板４９上に溢れて溜まることで台車４６や糠袋４５周辺に糠が散乱して清掃に手間がかかるのを防止する。
【００２４】
糠袋４５は図８の（イ）に示すように全て同じ大きさの袋を前後方向に並列して配置するが、（ロ）に示すように前側の糠袋４５ａを小さくする構成としても良い。これは、頻繁に糠袋を交換する管理者の場合には小さい糠袋のほうが糠取り出し作業がしやすいためである。
【００２５】
次に、箱体Ｈの前側を覆う開閉扉の構成について説明する。
本実施の形態の開閉扉は玄米投入室Ｇと精米室Ｓの正面側を覆う本体開閉扉５０と、糠収容室Ｎの正面側を覆う糠収容室開閉扉４０と、本体開閉扉５０と糠収容室開閉扉４０の上方で、玄米投入室Ｇの上方と精米室Ｓの上部と糠収容室Ｎの上部に跨って覆う電装部開閉扉５１を設けている。
【００２６】
本体開閉扉５０は箱体の左右一側の設けるヒンジ５２により縦軸芯周りに回動する。そして、開放すると玄米投入室Ｇと精米室Ｓが露出する構成である。本体開閉扉５０には、操作盤５３と料金投入口５４を設けている。操作盤５３は精白度を選択する精白度選択スイッチ５５と、精米作業の進行状態を知らせる精米作業進行表示ランプ５６を設けている。
【００２７】
また、本体開閉扉５０の開閉とは別個に開閉する玄米投入開閉扉５７を設けている。玄米投入開閉扉５７は本体開閉扉５０の中央部に設けるヒンジ５２により縦軸芯周りに回動する。玄米投入開閉扉５７は玄米投入室Ｇの正面側に設け、玄米投入開閉扉５７を開放すると玄米投入室Ｇが露出して利用者が玄米を投入ホッパ１に投入できる。
【００２８】
また、本体開閉扉５０には、本体開閉扉５０の開閉とは別個に開閉する白米取出開閉扉５８を設けている。白米取出開閉扉５８は本体開閉扉５０の中央部に設けるヒンジ５９により縦軸芯周りに回動する。白米取出開閉扉５８は白米ホッパ６の開閉シャッタ２９の正面側に設け、利用者が白米取出開閉扉５８を開放すると開閉シャッタ２９が露出して開閉シャッタ２９の開閉操作を行なえる。また、白米取出開閉扉５８には外側から開閉シャッタ２９を視認できる透明窓６０を設けている。
【００２９】
精米設備の管理者が本体開閉扉５０を開閉すると、玄米投入開閉扉５７と白米取出開閉扉５８も共に本体開閉扉５０と共に移動し、玄米投入室Ｇと精米室Ｓとが露出し、メンテナンスを行なうことができる構成である。
【００３０】
糠収容室開閉扉４０は箱体Ｈの左右他側に設けるヒンジ６１により縦軸芯周りに回動する。そして、開放すると糠収容室Ｎが露出する構成である。本体開閉扉５０と糠収容室開閉扉４０とは観音扉状に開閉する構成である。
【００３１】
利用者が玄米投入時に玄米投入開閉扉５７を開くときには箱体Ｈの正面側に向かって開く。すなわち箱体Ｈの左右外側にはみ出ないため、箱体Ｈに隣接して別の装置・建屋等が設置している場合に玄米投入開閉扉５７が当該別の装置に当接することを防止し、狭いスペースで箱体Ｈを設置することができる。
【００３２】
また、白米取出開閉扉５８は玄米投入開閉扉側５７に向かって開くため、白米取り出し時に糠収容室開閉扉４０の前側を覆って糠収容室開閉扉４０の開閉を邪魔をせず、白米取出しと糠取出しを並行して行なうことができる。
【００３３】
玄米投入開閉扉５７が開放状態となると操作盤５３の前側を覆う構成となる。即ち、利用者は玄米投入開閉扉５７を閉めないと操作盤の操作ができないので、玄米を投入後、自然に玄米投入開閉扉５７を閉めるように仕向けることができる扉の構成である。
【００３４】
次に電装部開閉扉５１に関する内容を以下説明する。
電装部とは、ブレーカや制御盤等の電装品に関するものである。
本実施の形態の電装部は、箱体Ｈ内部の上部に設ける第一電装部６０と、電装部開閉扉５１の裏面に設ける第二電装部６１とそれぞれに、各種電装品を集中して設けている。
【００３５】
第一電装部６０は箱体Ｈ内の側壁や天井に支持される第一電装部取付板６３に各種電装品を取りつけ、第二電装部６１は電装部開閉扉５１の裏面に支持される第二電装部取付板６４に各種電装品を取り付ける。第二電装部６１の糠収容室Ｎ側に防糠用の仕切板６５を設け、糠収容室Ｎの糠が電装部に入り込まないようにしている。電装部開閉扉５１は本体開閉扉５０と同じ方向に縦軸芯周りに開閉する構成である。
【００３６】
第一電装部６０と第二電装部６１は電装部開閉扉５１を閉じている状態の時には対向する位置にあり、電装部開閉扉５１を開放すると第一電装部６０と第二電装部６１はどちらも箱体Ｈ前側に向かって露出する。
【００３７】
そのため、管理者が電装部開閉扉５１を開放すると、第一電装部６０と第二電装部６１の両方が同時に露出するため、管理者は電装部品の点検がしやすい。また、狭いスペースに集中して電装部品を配置できる。また、本体開閉扉５０に取り付ける電装部品を少なくすることができるため、精米室Ｓ内のメンテナンス時に電装部開閉扉５１を開ける必要が無く、その分本体開閉扉５０を開閉操作しやすくすることができる。
【００３８】
また、電装部品全体の点検を行なうときには、電装部開閉扉５１を開くと第一電装部６０と第二電装部６１のいずれもが箱体Ｈの前側に露出するため、管理者は電装部の点検・調整をしやすくすることができる。また、精米機５や石抜機２のメンテナンス時に電装部開閉扉５１の位置が高いため、電装部開閉扉５１が開いているときでも管理者が誤って第一電装部６０や第二電装部６１に当接して破損等をすることを防止することができる。また、特に雨天のときに電装部開閉扉５１を開かないで精米室Ｓの点検を行なうことができ、電装品が濡れるのを防止できる。
【００３９】
なお、本実施の形態では第一電装部６０は主としてブレーカを設ける。第二電装部６１は主として手動で精米機５や石抜機２等の各装置を点検用に単独で動作・停止するためのスイッチ群を設ける。第二電装部６２は電装部開閉扉６１の裏面に設けるため、管理者は装置の状態を見ながら動作・停止の操作がし易い。
【００４０】
電装部開閉扉５１の正面には看板Ｋを設けている。本実施の形態の看板Ｋは電飾看板で、第二電装部６１から配線されている。電装部開閉扉５１が玄米投入室Ｇと精米室Ｓと糠収容室Ｎに跨って構成することで精米設備の左右幅全体にわたって看板Ｋを構成することができ、外観の目立つ看板に構成できると共に、看板の電装品のメンテナンスもしやすい。
【００４１】
次に、精米運転の概要について説明する。
利用者は玄米投入開閉扉５７を開き、料金を料金投入口５４に投入し、持参した玄米を玄米投入室Ｇから投入ホッパ１内に投入する。
【００４２】
玄米投入開閉扉５７を閉じると精白度選択スイッチ５５が点灯し、利用者は所望の精白度を選択できる。精白度選択スイッチ５５を選択操作すると、精米運転は開始され、投入した料金に対応する運転時間精米運転を行なう。
【００４３】
投入ホッパ１内の玄米は順次開口部から石抜機２の揺動選別板１４上に落下供給される。そして、玄米は揺動選別板１４上を流下して玄米排出筒を経て昇降機３に供給される。一方、石は揺動選別板１４上を揺れ上げられ上流側に堆積する。
【００４４】
石抜き処理を経た玄米は昇降機３で揚穀され、玄米ホッパ４に供給され、一時貯留される。玄米ホッパ４内で貯留された玄米は玄米タンクの下部に設けるロータリバルブで一定量ずつ精米機５に供給され、精米機５で精米処理され、精白米として白米ホッパ６に排出される。
【００４５】
白米ホッパ６に貯留された精白米を、利用者が白米取出開閉扉を開いて開閉シャッタを開操作することで持参した袋に取出す。
精米処理で発生した糠は糠ファン３０の作用により糠搬送筒３２でサイクロン３１に搬送され、サイクロン３１で糠と空気を分離し、糠は糠移送樋４１の搬送始端部に落下する。糠移送樋４１内の糠は糠移送ラセン４２で後方に向かって搬送され、糠排出口４３から糠案内筒４４を通過した糠が糠袋４５内に収容される。糠袋４５は前側の糠袋４５ａから収容され、前側の糠袋４５ａが糠案内筒４４ａの高さまで貯留されると糠案内筒４４ａ内に糠が充満し、以降糠移送ラセン４２は後の糠案内筒４４ｂから後の糠袋４５ｂ内に排出する。次いで同様に後の糠袋４５ｃに排出する。
【００４６】
糠移送ラセン駆動モータ３９とサイクロン３１を糠収容室Ｎの前側に設けることで、メンテナンスをしやすくすることが出来る。
複数の糠袋４５を共通の台車４６で一度に引き出すことが出来るので糠取り出し作業がし易い。また、前側の糠袋４５ａの糠だけを取り出すときには台車を引き出さなくてもフック４８から糠袋４５ａを外して引き出せるため、迅速な糠取り出し作業も可能である。
【符号の説明】
【００４７】
１  投入ホッパ
５  精米機
３１  サイクロン
３３  第二仕切壁
４０  糠収容室開閉扉
４１  糠移送樋
４２  糠移送ラセン
４３  糠排出口
４４  糠案内筒
４５  糠袋
４６  台車
４７  ガイド
４８  フック
５０  本体開閉扉
５１ 電装部開閉扉
５３ 操作盤
５５ 精白度選択スイッチ
５７ 玄米投入開閉扉
６０ 第一電装部
６１ 第二電装部
Ｓ  精米室
Ｎ  糠収容室
Ｇ 玄米投入室
【図１】
0005810535.tif 000002
【図２】
0005810535.tif 000003
【図３】
0005810535.tif 000004
【図４】
0005810535.tif 000005
【図５】
0005810535.tif 000006
【図６】
0005810535.tif 000007
【図７】
0005810535.tif 000008
【図８】
0005810535.tif 000009
【図９】
0005810535.tif 000010
【図１０】
0005810535.tif 000011